(57)【特許請求の範囲】
【請求項１】
配管によって形成される通水経路に、水を活性化する活水器を設けるとともに、この活水器に組合せて、水を磁化する磁化水装置、水を浄化する浄水器、または水を殺菌する殺菌装置のいずれか１以上を連続的に配置した活水装置であって、前記活水器は、水の流入口および流出口をその軸方向各端に配置したステンレス鋼製の筒状ケーシングと、この筒状ケーシング内の軸方向に区分された領域内に充填された少なくとも２種類のボール材とを備え、前記ボール材の一方は、遠赤外線放射用の多数のセラミックボールであり、前記ボール材の他方は、銀系の抗菌材製ボールであり、前記活水器は、前記筒状ケーシング内の各領域に前記セラミックボールと前記抗菌材製ボールとをそれぞれ固定保持するための保持装置を備え、この保持装置は、前記筒状ケーシングの中心位置に配置した固定軸と、この固定軸の軸方向複数箇所にそれぞれ装着されたステンレス鋼製の対向する１対の保持板と、これら両保持板間に配置された圧縮スプリングとを有することを特徴とする活水装置。
【発明の詳細な説明】
【０００１】
【発明の属する技術分野】
本発明は、水を活性化して飲料水その他の用途水として優れた機能性を付与することができる活水装置に係り、特にコンパクトで汎用性に富む活水装置に関するものである。
【０００２】
【従来の技術】
近年、水道水等の水質低下等に鑑み、各種浄水器の開発等が盛んに行われている。しかしながら、これまでは水（Ｈ2 Ｏ）に含まれる他の物質（有機物、無機物）の処理、あるいは酸化・還元等によるＰＨ調整、また硬度調整等に主眼がおかれており、必ずしも人体に摂取する水として十分な機能を付与できるものが提供されているとはいい難い面があった。
【０００３】
これに対し、最近では水（Ｈ2 Ｏ）自体の構造に着目され、水の分子集団（クラスタ）を細分化することにより、酸化還元電位を２００ｍＶ以下とし、非イオン化された体液に近い水を得る技術が開発されている。すなわち、一般の水は水素結合によって、大小のクラスタが結合された状態となっているが、セラミックス等によって遠赤外線等の高エネルギが付与された場合には、このクラスタの結合が切断され、単分子になって再結合を繰り返し、その結果平均化された細かい分子をもつ水（活水）となることが見出だされている。体内の水は、このクラスタが小さく、飲料水の場合にはクラスタが小さいほど、おいしいとされている。
【０００４】
また、活水化によって活性酸素の含有量が減少し、活水摂取の効果として免疫や抵抗力の向上、健康増進が見られ、さらに水の腐敗防止による長期保存化が可能となり、また界面活性力、脱臭作用の向上等も図られ、産業上の利用性も期待されている。これらのことから、遠赤外線を放射するセラミックス等を利用して活水をつくる技術が鋭意研究されている。
【０００５】
【発明が解決しようとする課題】
しかしながら、従来では実用的に利用する上で、必ずしも好適なものが見られず、例えば飲料水を多量に使用する店舗や、飲料水自体の供給業等を対象として、手軽に設置、利用できるものは未だ知られていない。
【０００６】
本発明はこのような事情に鑑みてなされたもので、構成がコンパクトで設置、利用が容易に行え、飲料水利用店舗や飲料水供給業等への利便を向上させることができ、合せて活水の機能を十分に生かした状態で供給することができる有用性の高い活水装置を提供することを目的とする。
【０００７】
また、本発明は、活水機能に加えて、水を抗菌化、清浄化、または殺菌する機能を備え、飲料水として特に好適な水を供給することができる装置を提供することを目的とする。
【０００８】
【課題を解決するための手段】
前記の目的を達成するために、請求項１の発明では、配管によって形成される通水経路に、水を活性化する活水器を設けるとともに、この活水器に組合せて、水を磁化する磁化水装置、水を浄化する浄水器、または水を殺菌する殺菌装置のいずれか１以上を連続的に配置した活水装置であって、前記活水器は、水の流入口および流出口をその軸方向各端に配置したステンレス鋼製の筒状ケーシングと、この筒状ケーシング内の軸方向に区分された領域内に充填された少なくとも２種類のボール材とを備え、前記ボール材の一方は、遠赤外線放射用の多数のセラミックボールであり、前記ボール材の他方は、銀系の抗菌材製ボールであり、前記活水器は、前記筒状ケーシング内の各領域に前記セラミックボールと前記抗菌材製ボールとをそれぞれ固定保持するための保持装置を備え、この保持装置は、前記筒状ケーシングの中心位置に配置した固定軸と、この固定軸の軸方向複数箇所にそれぞれ装着されたステンレス鋼製の対向する１対の保持板と、これら両保持板間に配置された圧縮スプリングとを有することを特徴とする活水装置を提供する。
【００１４】
本発明において、活水器ではセラミックボールの遠赤外線によって水の分子集団（クラスタ）が細分化され、水の酸素量を増大させ、さらに銀系の抗菌材製ボールによって抗菌化される。セラミックボールおよび銀系の抗菌材ボールは５年以上の効果が持続できる。抗菌活性化した水は、飲料水として茶、コーヒー等に使用した場合、味覚が向上し、健康にも良好な影響を与える。これらの効果は、磁化装置による水の磁化によってさらに強化される。
【００１５】
また、浄水器によっては、有機物の除去および塩素化合物の除去が行われ、さらに殺菌装置では紫外線によってバクテリヤの殺菌、藻の発生防止等が図れるようになる。
【００１６】
そして、これらの機能がコンパクトな構成で容易に達成される。
【００１７】
【発明の実施の形態】
以下、本発明の実施形態について、図面を参照して説明する。
【００１８】
図１は、本実施形態による活水装置の全体構成を示す正面図であり、図２は同側面図であり、図３は同平面図である。また、図４は活水器の構成を示す断面図であり、図５は浄水器および殺菌装置の構成を示す断面図である。
【００１９】
図１〜図３に示すように、本実施形態による活水装置は、平坦な固定基板上に水を活性化する活水器１と、その上流側で水を予め磁化する磁化水装置２とが設けられている。また活水器１の下流側には、水を浄化する浄水器３と、水を殺菌する殺菌装置４とが配置されている。これら各機器は、配管によって形成される通水経路で連続的に接続され、最上流側のポンプ５から水を導入されるようになっている。なお、６はポンプ５駆動用のモータである。このポンプ５には、例えば図示しない上水道管等が接続される。
【００２０】
水を磁化する磁化水装置２は、活水器１の上流側にユニットとして配置されており、ケーシング７内に図示しない複数本の永久磁石を環状に挿入した構成とされている。これらの磁石は、ケーシング７の状端部の蓋８から吊下される。
【００２１】
活水器１は、図４に示すように、磁化水装置２に接続される水の流入口９を下端部に有するとともに、流出口１０を状端部に有するステンレス鋼製の筒状ケーシング１１と、この筒状ケーシング１１内の軸方向に区分された領域内に充填された少なくとも２種類のボール材とを備えた構成とされている。ボール材の一方は、遠赤外線放射用の多数のセラミックボール１２であり、ボール材の他方は、銀系の抗菌材製ボール１３である。なお、これらのボールは、ミックスタイプの１種類のボール構成としてもよい。
【００２２】
この活水器１は、筒状ケーシング１１内の各領域にセラミックボール１２と抗菌材製ボール１３とをそれぞれ固定保持するための保持装置１４を備えている。この保持装置１４は、筒状ケーシング１１の中心位置に配置した固定軸１５と、この固定軸１５の軸方向複数箇所にそれぞれ装着されたステンレス鋼製の対向する１対の多孔板からなる保持板１６と、これら両保持板間に配置された圧縮コイルスプリング１７とを有し、上下端位置のものがボルト等の締付具１８で固定されている。これにより、各ボール１２，１３は固定され、攪乱等されることがなく、磨耗等が有効に防止されるようになる。
【００２３】
また、水を浄化する浄水器３と、水を殺菌する殺菌装置４とは、これらを組合せたユニットとして構成され、活水器１の下流側に配置されている。浄水器３は殺菌装置４の周囲にこれを取り囲む配置で複数、間隔的に配置されており、例えば流入口１９および流出口２０を有するケーシング２１内に管状の活性炭フィルタ２２を垂下した構成とされている。この活性炭フィルタ２２が殺菌装置４の周囲に例えば６本、着脱可能に設置されている。
【００２４】
殺菌装置４は、ケーシング２１内の中心位置に設けた管２３内に紫外線ランプ２４を配置した構成とされている。なお、図中２４は水量あるいは殺菌用電力その他の運転を制御するための制御装置である。
【００２５】
以上の構成において、水は、まずポンプ５によって配管を介して磁化水装置２に流入する。磁化装置２では、複数本の永久磁石によって水が磁化される。
【００２６】
次に、磁化された水は、活水器１に下方から流入する。流入した水はセラミックボール１２によって遠赤外線の放射を受けて活性化されるとともに、銀系の抗菌材製ボール１３によって抗菌機能が付与される。
【００２７】
こうして磁化、活性化および抗菌化された水は、図５に矢印で示すように、さらに浄水器３の活性炭フィルタ２２に外面側から内面側に流入する際に浄化され、その後殺菌装置４に流入し、紫外線殺菌される。これにより、水は磁化、活性化および抗菌化され、さらに浄化および殺菌されて高機能水となって流出口２０から所定の部所に供給される。
【００２８】
本実施形態によれば、活水器１ではセラミックボール１２の遠赤外線によって水の分子集団（クラスタ）が細分化され、水の酸素量を増大させ、さらに銀系の抗菌材製ボール１３によって抗菌化される。セラミックボール１２および銀系の抗菌材ボール１３は５年以上の効果が持続できる。抗菌活性化した水は、飲料水として茶、コーヒー等に使用した場合、味覚が向上し、健康にも良好な影響を与える。これらの効果は、磁化装置２による水の磁化によってさらに強化される。また、浄水器３によっては、有機物の除去および塩素化合物の除去が行われ、さらに殺菌装置４では紫外線によってバクテリヤの殺菌、藻の発生防止等が図れるようになる。そして、これらの機能がコンパクトな構成で容易に達成される。
【００２９】
なお、以上の実施形態では、活水器１、磁化水装置２、浄水器３、殺菌装置４の全てを備えているが、活水器１に対し、磁化水装置２、浄水器３、殺菌装置４のいずれか１つを組合わせた構成として実施することも可能である。
【００３０】
【発明の効果】
以上で説明したように、本発明によれば、構成がコンパクトで設置、利用が容易に行え、飲料水利用店舗や飲料水供給業等への利便を向上させることができ、合せて活水の機能を十分に生かした状態で供給することができる有用性の高い活水装置を提供することができ、また活水機能に加えて、水を抗菌化、清浄化、または殺菌する機能を備え、飲料水等として特に好適な水を供給することができる効果が奏される。
【図面の簡単な説明】
【図１】本発明の一実施形態による活水装置の全体構成を示す正面図。
【図２】本発明の一実施形態による活水装置の全体構成を示す側面図。
【図３】本発明の一実施形態による活水装置の全体構成を示す平面図。
【図４】前記実施形態における活水器の構成を示す断面図。
【図５】前記実施形態における浄水器および殺菌装置の構成を示す断面図。
【符号の説明】
１  活水器
２  磁化水装置
３  浄水器
４  殺菌装置
５  ポンプ
６  モータ
７  ケーシング
８  蓋
９  流入口
１０  流出口
１１  筒状ケーシング
１２  セラミックボール
１３  抗菌材製ボール
１４  保持装置
１５  固定軸
１６  保持板
１７  圧縮コイルスプリング
１８  締付具
１９  流入口
２０  流出口
２１  ケーシング
２２  活性炭フィルタ
２３  管
２４  紫外線ランプ
【図１】
0003781865.tif 000002
【図２】
0003781865.tif 000003
【図３】
0003781865.tif 000004
【図４】
0003781865.tif 000005
【図５】
0003781865.tif 000006